(57)【特許請求の範囲】
【請求項１】
建物の外壁に固着具で周縁の取付片部が固定される開口部装置であって、前記取付片部の前面に前記固着具を覆い隠す固着具隠しカバー部材を前記固着具により固定される係止部材を介して取付け、コーナー部に前記固着具隠しカバー部材の端部同士を連結するためのコーナー連結部材を設け、該コーナー連結部材に該コーナー連結部材および前記固着具隠しカバー部材の端部を覆うコーナーカバー部材を設け、前記コーナー連結部材は、略矩形の本体部の隣接する２つの側面に前記固着具隠しカバー部材の端部を着脱自在に係止するために前記係止部材と同じ断面形状の係止部を突出形成してなることを特徴とする開口部装置。
【発明の詳細な説明】
【０００１】
【発明の属する技術分野】
本発明は、開口部装置に係り、特に取付片部に固着具隠しカバー部材を取付けて意匠性の向上を図った開口部装置に関する。
【０００２】
【従来の技術】
開口部装置としては、建物の外壁に固着具で周縁の取付片部を固定するようにしたものがある。例えば、外付けのサッシ等においては、サッシ枠の周縁の取付片部を外壁に固着具例えばネジで固定するようになっている。しかしながら、このような開口部装置においては、固着具が外部に露出するため、見栄えが悪く、意匠性に劣るという問題がある。そこで、このような問題を解決するために、前記取付片部の前面に前記固着具を覆い隠す固着具隠しカバー部材を取付けることが行われている。
【０００３】
【発明が解決しようとする課題】
しかしながら、前記開口部装置においては、施工誤差や加工誤差等により固着具隠しカバー部材の端部同士が交わるコーナー部において端部間に隙間が発生する場合がある。また、本発明者により固着具隠しカバー部材の端部同士をコーナー連結部材を介して連結する提案がなされているが、この場合においても、施工誤差や加工誤差等により固着具隠しカバー部材とコーナー連結部材との間に隙間が発生する場合がある。このような隙間は見栄えが悪く、意匠性の低下を余儀なくされる。
【０００４】
本発明は、前記事情を考慮してなされたもので、施工誤差や加工誤差等により固着具隠しカバー部材とコーナー連結部材との間に隙間が発生したとしてもその隙間を隠すことができ、意匠性の向上が図れる開口部装置を提供することを目的とする。
【０００５】
【課題を解決するための手段】
本発明のうち、請求項１に係る発明は、建物の外壁に固着具で周縁の取付片部が固定される開口部装置であって、前記取付片部の前面に前記固着具を覆い隠す固着具隠しカバー部材を前記固着具により固定される係止部材を介して取付け、コーナー部に前記固着具隠しカバー部材の端部同士を連結するためのコーナー連結部材を設け、該コーナー連結部材に該コーナー連結部材および前記固着具隠しカバー部材の端部を覆うコーナーカバー部材を設け、前記コーナー連結部材は、略矩形の本体部の隣接する２つの側面に前記固着具隠しカバー部材の端部を着脱自在に係止するために前記係止部材と同じ断面形状の係止部を突出形成してなることを特徴とする。
【０００６】
【発明の実施の形態】
以下に、本発明の実施の形態を添付図面に基いて詳述する。
【０００７】
図１、図２ないし図３において、１は建物の外壁２に取付けられる電動式のシャッター（開口部装置）で、建物の躯体３の開口に取付けられた既設のサッシ４の前面を遮蔽可能なように後付けで取付けられる。前記サッシ４は、図４にも示すように、上枠５ａ、下枠５ｂおよび左右の縦枠５ｃ，５ｃからなるサッシ枠５と、このサッシ枠５内に開閉自在に設けられた引違い式の障子６，６とを備えている。
【０００８】
前記シャッター１は、サッシ４を取囲むように外壁２もしくは後述の下地部材１１に取付けられるシャッター枠７を有し、このシャッター枠７にはシャッター板（スラット）８を巻上げ下げする電動式の巻取部９を収容したシャッターボックス１０が設けられる。前記外壁２が例えば樹脂製のサイディング等のように圧縮強度の低い材質であったとしても前記シャッター枠７を歪みが生じないように安定した状態に取付けるために、前記外壁２には下地部材１１が取付けられる。
【０００９】
シャッター枠７は、図６にも示すように、上枠７ａ、下枠７ｂおよび左右の縦枠７ｃ，７ｃを方形に組み、両縦枠７ｃ，７ｃ間にシャッター枠７内を巻取部収容領域１２と、サッシ４と対応する開口領域１３とに仕切る中間枠７ｄを設けてなる。シャッター枠７の両縦枠７ｃ，７ｃの前部には、シャッター板８の両側部を上下方向にスライド自在に案内するガイド枠１４が設けられる。また、シャッター枠７の基部側周縁部にはこれを外壁２もしくは下地部材１１に固着具例えばネジ１５で取付固定するための取付片部１６がフランジ状に形成されており、この取付片部１６には固着具用の孔部１７が適宜間隔で設けられている。
【００１０】
前記下地部材１１は、前記シャッター枠７を取付けるために該シャッター枠７の基部側当接面と略同じ形状に形成されている。この下地部材１１は、図５にも示すように、例えば中空の上材１１ａ、下材１１ｂおよび左右の縦材１１ｃ，１１ｃを方形に組み、両縦材１１ｃ，１１ｃ間に中空の中間材１１ｄを設けてなる。下地部材１１には、これを屋外側から建物の躯体３に捩じ込んで固定するための固着具例えばネジ１８を挿通したり、あるいは前記シャッター枠７を固定するための固着具例えばネジ１５を螺着するための孔部１９が適宜設けられている。
【００１１】
そして、図１ないし図８に示すように、前記下地部材１１には前記巻取部９の駆動用電源配線（ケーブル）２０を屋外に導いて配線するための配線箱（第１の配線箱、配線スタートボックスともいう。）２１が設けられ、この配線箱２１を介して屋外に配線した電源配線２０が外壁２に設けた貫通孔２２に水密に挿通されて壁スイッチ２３に接続されている。前記配線箱２１は、前面が開口し、前面部にはその開口を閉塞する蓋２４が固着具例えばネジ２５で着脱自在に取付けられている。また、配線箱２１の一側部にはこれを固着具例えばネジ２６で下地部材１１の縦材１１ｃの側面にパッキン２７を介して水密に取付けるための取付脚部２８が形成されている。
【００１２】
前記下地部材１１の縦材１１ｃには前記電源配線２０を横方向に挿通するための貫通孔２９が設けられ、配線箱２１の一側部には前記貫通孔２９と連通する連通孔３０が設けられている。前記配線箱２１の底部には電源配線２０を下方へ導く出すための導出口３１が設けられている。前記シャッターボックス１０内の後部には巻取部９の駆動部（モータ）に給電するための給電部３１が設けられ、この給電部３１から電源配線２０が下地部材１１の貫通孔２２、配線箱２１の連通孔３０、配線箱２１内および導出口３１を通って外部に導出されている。
【００１３】
外部に導出された電源配線２０は、下方へ略直線状に外部配線されて建物の外壁下部に設けられた外部電源コンセント３２に電源プラグを介して電気的に接続されている。また、外部配線された前記電源配線２０の略中間部の一部が外壁２の貫通孔２２を通して屋内側に導き入れられ、室内の内壁３３に取付けられる壁スイッチ２３に電気的に接続されている。前記外壁２の貫通孔２２には、屋内への雨水の漏水を防止するためにシーリング（水密材）が施される。
【００１４】
前記電源配線２０を水密状態に外部配線するために、電源配線２０を挿通する配管例えばフレキシブルパイプ３４，３５と、電源配線２０を外壁２の貫通孔２２を通して屋内に導入するための屋内導入用配線箱（第２の配線箱、防水プールボックスともいう。）３６とを使用することが好ましい。
【００１５】
屋内導入用配線箱３６は、市販品であり、上部と下部にコネクタ３７，３８の接続口を有し、背面部に電源配線２０の導出口を有している（図示省略）。この屋内導入用配線箱３６は、外壁２に固着具例えばネジで取付固定される。前記配線箱２１の下部の導出口３１にはフレキシブルパイプ３４の一端がコネクタ３９を介して接続され、このフレキシブルパイプ３４の他端が屋内導入用配線箱３６の上部の接続口にコネクタ３７を介して接続されている。また、屋内導入用配線箱３６の下部の接続口には電源プラグ側の電源配線２０を挿通するためのフレキシブルパイプ３５の一端がコネクタ３８を介して接続されている。なお、屋外電源コンセント３２が無い場合には、前記フレキシブルパイプ３５は不要であり、前記屋内導入用配線箱３６の背面の導出口から電源プラグ側の電源配線２０を屋内に導入して屋内電源コンセントに接続するように配線すれば良い。
【００１６】
一方、前記シャッター枠７の取付片部１６の前面（正面）には、図１、図７〜図１０に示すように、取付片部１６の固着具例えばネジ１５を覆い隠すための固着具隠しカバー部材（ネジ隠し化粧カバー部材ともいう。）４０が着脱自在に取付けられ、コーナー部には前記固着具隠しカバー部材４０の端部同士を連結するためのコーナー連結部材４１が設けられる。
【００１７】
固着具隠しカバー部材４０は、断面略Ｕ字状の長尺材からなり、例えばアルミニウム押出形材からなっている。図示例では、固着具隠しカバー部材４０は、シャッター枠７の各辺に沿って四方に配設され、コーナー連結部材４１はシャッター枠７の四隅に固着具例えばネジ止めにより配設される。前記シャッター枠７の取付片部１６上に前記固着具隠しカバー部材４０を取付けるために、取付片部１６には係止部材４２が取付片部固定用の固着具例えばネジ１５を利用して適宜取付固定されている。前記係止部材４２は、断面Ｕ字状の短尺材からなり、この係止部材４２の両側外面部と前記固着具隠しカバー部材４０の両側内面部とには、固着具隠しカバー部材４０を屋外側から被せるべく押し付けたときに弾性力で互いに係合係止する係止部（引っ掛り部）４２ａ，４０ａが形成されている。
【００１８】
前記コーナー連結部材４１は、略矩形の本体部４１ａの隣接する２つの側面に固着具隠しカバー部材４０の端部を着脱自在に係止するための前記係止部材４２と同じ断面形状の係止部４１ｂ、４１ｂを突出形成してなっている。コーナー連結部材４１の本体部４１ａには、これを取付片部１６を介して下地部材１１に固着具例えばネジで固定するための孔部４１ｃが形成されている。また、コーナー連結部材４１には、該コーナー連結部材４１および前記固着具隠しカバー部材４０の端部を屋外側から覆うコーナーカバー部材４３が着脱自在に取付けられる。
このコーナーカバー部材４３は、コーナー連結部材４１の本体部４１ａの正面（前面）および固着具隠しカバー部材４０の端部の正面を覆う板状の正面覆い部４３ａと、該正面覆い部４３ａの隣接する２つの辺に一体形成されてコーナー連結部材４１の外側面および固着具隠しカバー部材４０の端部の側面を覆う側面覆い部４３ｂとを有している。このコーナーカバー部材４３をコーナー連結部材４１に着脱自在に取付けるために、コーナーカバー部材４３の裏面には一対の係止脚部４４３ｃが突設され、コーナー連結部材４１の本体部４１ａには係止脚部４３ｃが係合係止する係止孔部４１ｄが形成されている。
【００１９】
以上の構成からなるシャッター１を建物の外壁２に取付ける場合には、先ず建物の外壁面に下地部材１１を固着具例えばネジ１８で固定する。この場合、ネジ１８を建物の躯体３に捩じ込んで下地部材１１を確実に固定する。次に、前記下地部材１１上にシャッター枠７の基部を当接させてその周囲の取付片部１６を固着具例えばネジ１５で固定する。この場合、前記シャッター枠７には巻取部９を収容したシャッターボックス１０やガイド枠１４が予め組み込まれている。
【００２０】
前記シャッター枠７の取付けの際に、係止部材４２を下地部材１１上に前記ネジ１５を利用して適宜間隔で固定する。また、下地部材１１上の四隅にコーナー連結部材４１を取付片部１６と共に前記ネジ１５を利用して固定する。
【００２１】
また、前記シャッター枠７の取付けに際して、下地部材１１の縦部材１１ｃに巻取部９の駆動用電源配線２０を外部に導出するための貫通孔２２を予め現場で加工しておくと共に、その縦部材１１ｃの側面に貫通孔２２と連通するように配線箱２１を固着具例えばネジ２６で固定しておき、シャッター枠７の取付けの際に電源配線２０を下地部材１１の縦部材１１ｃの貫通孔２２から配線箱２１内に通して外部に引き出しておく。
【００２２】
シャッター枠７を取付けたなら、フレキシブルパイプ３４，３５や屋内導入用配線箱３６の取付け等を行って電源配線２０の壁スイッチ２３や屋外電源コンセント３２への接続等の屋外配線工事を行えば良い。また、前記係止部材４２やコーナー連結部材４１の係止部４１ｂに固着具隠しカバー部材４０を装着し、コーナー連結部材４１にコーナーカバー部材４３を装着すれば良い。
【００２３】
このように以上の構成からなるシャッター１によれば、既設のサッシ４を有する建物の外壁２にサッシ４を取囲むように後付けで取付けられるシャッター枠７を有し、このシャッター枠７にはシャッター板８を巻上げ下げする電動式の巻取部９を収容したシャッターボックス１０が設けられ、前記外壁２に前記シャッター枠７を取付けるための下地部材１１を取付けているため、外壁２が圧縮強度の低い材質であったとしても外壁２に部分的な凹みを生じさせること無くシャッター枠７を安定させて確実に取付けることができる。そして、前記下地部材１１に前記巻取部９の電源配線２０を屋外に導いて配線するための配線箱２１を設け、この配線箱２１を介して屋外に配線した電源配線２０を外壁２に設けた貫通孔２２に水密に挿通させて屋内の壁スイッチ２３に接続したので、シャッター枠７に穴を開けること無く電源配線２０を外部に容易に導いて屋外配線することができ、シャッターボックス１０の裏側の外壁２に穴を開けて電源配線２０を屋内に導いて配線する場合に比して、施工性、屋内の意匠性および雨仕舞ないし水密性の向上が図れる。
【００２４】
特に、前記シャッター枠７の取付片部１６の前面に前記固着具例えばネジ１５を覆い隠す固着具隠しカバー部材４０を取付けているため、見栄えが良く、意匠性の向上が図れる。また、下地部材１１のコーナー部に前記固着具隠しカバー部材４０の端部同士を連結するためのコーナー連結部材４１を設けているため、固着具隠しカバー部材４０の隣接する端部同士を一つの部材で容易に且つ確実に固定できると共に、固着具隠しカバー部材４０の長手方向への移動ないし位置ずれを防止することができる。しかも、前記コーナー連結部材４１に該コーナー連結部材４１および前記固着具隠しカバー部材４０の端部を覆うコーナーカバー部材４３を設けているため、施工誤差や加工誤差等により固着具隠しカバー部材４０とコーナー連結部材４１との間に隙間ｔが発生したとしてもその隙間ｔをコーナーカバー部材４３で覆い隠すことができ、意匠性の更なる向上が図れる。外付けタイプや後付けタイプの開口部装置においては、施工誤差等が生じ易く、前記隙間ｔが発生し易いため、特に有効である。
【００２５】
以上、本発明の実施の形態を図面により詳述してきたが、本発明は前記実施の形態に限定されるものではなく、本発明の要旨を逸脱しない範囲での種々の設計変更等が可能である。例えば、開口部装置としては、サッシ、出窓等であっても良い。開口部装置の周縁の取付片部は、四方であっても、三方であっても良い。
また、本発明の開口部装置は後付けタイプに限定されない。
【００２６】
【発明の効果】
以上要するに本発明によれば、建物の外壁に固着具で周縁の取付片部が固定される開口部装置であって、前記取付片部の前面に前記固着具を覆い隠す固着具隠しカバー部材を前記固着具により固定される係止部材を介して取付け、コーナー部に前記固着具隠しカバー部材の端部同士を連結するためのコーナー連結部材を設け、該コーナー連結部材に該コーナー連結部材および前記固着具隠しカバー部材の端部を覆うコーナーカバー部材を設け、前記コーナー連結部材は、略矩形の本体部の隣接する２つの側面に前記固着具隠しカバー部材の端部を着脱自在に係止するために前記係止部材と同じ断面形状の係止部を突出形成してなるため、施工誤差や加工誤差等により固着具隠しカバー部材とコーナー連結部材との間に隙間が発生したとしてもその隙間をコーナーカバー部材で覆い隠すことができる。
【図面の簡単な説明】
【図１】本発明の実施の形態であるシャッターを示す図で、（ａ）は正面図、（ｂ）は部分的側面図である。
【図２】シャッターの縦断面図である。
【図３】シャッターの横断面図である。
【図４】サッシの斜視図である。
【図５】基枠の斜視図である。
【図６】シャッター枠の斜視図である。
【図７】固着具隠しカバーの斜視図である。
【図８】要部拡大断面図である。
【図９】固着具隠しカバーのコーナーピースおよびコーナーカバーを示す斜視図である。
【図１０】固着具隠しカバーのコーナー部を示す正面図である。
【符号の説明】
１  シャッター（開口部装置）
２  外壁
１５  ネジ（固着具）
１６  取付片部
４０  固着具隠しカバー部材
４１  コーナー連結部材
４３  コーナーカバー部材
【図１】
0004592219.tif 000002
【図２】
0004592219.tif 000003
【図３】
0004592219.tif 000004
【図４】
0004592219.tif 000005
【図５】
0004592219.tif 000006
【図６】
0004592219.tif 000007
【図７】
0004592219.tif 000008
【図８】
0004592219.tif 000009
【図９】
0004592219.tif 000010
【図１０】
0004592219.tif 000011